(57)【要約】      （修正有）【課題】複数の蛍光のそれぞれの蛍光特性を精度良く測定可能な分光測定装置、分光測定方法を提供する。【解決手段】分光測定装置は、測定対象に対して励起光を出力する励起光源１７４Ｂと、励起光源の駆動を制御する光源制御部と、測定対象にて反射された光の分光測定を実施する測定部と、を備え、励起光源は、ピーク波長がそれぞれ異なる複数の蛍光に対応して複数種設けられ、光源制御部は、複数種の励起光源のうちの１種の励起光源を点灯させて他の励起光源を消灯させ、点灯させる励起光源を順次変更する。【選択図】図４
2019078715.tif 000002
【特許請求の範囲】
【請求項１】
測定対象に対して励起光を出力する励起光源と、
前記励起光源の駆動を制御する光源制御部と、
前記測定対象にて反射された光の分光測定を実施する測定部と、を備え、
前記励起光源は、ピーク波長がそれぞれ異なる複数の蛍光に対応して複数種設けられ、
前記光源制御部は、複数種の前記励起光源のうちの１種の前記励起光源を点灯させて他の前記励起光源を消灯させ、点灯させる前記励起光源を順次変更する
ことを特徴とする分光測定装置。
【請求項２】
請求項１に記載の分光測定装置において、
前記励起光源は、４２０ｎｍ以上４９０ｎｍ未満の波長域にピーク波長を有する第一励起光を出力する第一励起光源を含む
ことを特徴とする分光測定装置。
【請求項３】
請求項１又は請求項２に記載の分光測定装置において、
前記励起光源は、４９０ｎｍ以上６００ｎｍ未満の波長域にピーク波長を有する第二励起光を出力する第二励起光源を含む
ことを特徴とする分光測定装置。
【請求項４】
請求項１から請求項３のいずれか１項に記載の分光測定装置において、
前記励起光源は、３８０ｎｍ以上４２０ｎｍ未満の波長域にピーク波長を有する第三励起光を出力する第三励起光源を含む
ことを特徴とする分光測定装置。
【請求項５】
請求項１から請求項４のいずれか１項に記載の分光測定装置において、
前記測定対象に対して、白色光を出力する白色光源をさらに備え、
前記光源制御部は、前記励起光源及び前記白色光源の駆動を制御し、前記励起光源を点灯させている間、前記白色光源を消灯させ、前記白色光源を点灯させている間、前記励起光源を消灯させる
ことを特徴とする分光測定装置。
【請求項６】
請求項５に記載の分光測定装置において、
前記白色光源から出力される白色光の光路上に対して進退可能に設けた遮光部と、
前記遮光部の移動を制御する遮光制御部と、を有し、
前記遮光制御部は、前記励起光源を点灯させる際に前記遮光部を白色光の前記光路上に移動させる
ことを特徴とする分光測定装置。
【請求項７】
請求項１から請求項６のいずれか１項に記載の分光測定装置において、
複数種の前記励起光源は、それぞれ複数個設けられ、前記測定対象から前記測定部に向かう方向から見た際に、前記測定部を中心とした仮想円の周方向に沿って配置されている
ことを特徴とする分光測定装置。
【請求項８】
測定対象に対して励起光を出力するとともに、それぞれ前記励起光の波長が異なる複数種の励起光源と、前記測定対象にて反射された光の分光測定を実施する測定部と、を備えた分光測定装置を用いた分光測定方法であって、
複数種のうちの１種の前記励起光源を点灯させて他の前記励起光源を消灯させ、前記点灯させる前記励起光源を順次変更させながら、前記測定対象にて反射された光を前記測定部で測定する
ことを特徴とする分光測定方法。
【発明の詳細な説明】
【技術分野】
【０００１】
本発明は、分光測定装置、分光測定方法に関する。
【背景技術】
【０００２】
従来、印刷装置において、紙面等のメディア（測定対象）に含まれる蛍光成分を検出する装置が知られている（例えば、特許文献１参照）。
特許文献１に記載の装置は、紙面に含まれる蛍光増白剤の光学特性を測定するための装置である。この装置では、蛍光増白剤を測定するために、紫ＬＥＤと、紫外ＬＥＤとを含み、これらの紫ＬＥＤや紫外ＬＥＤから出力された光により励起された４５０ｎｍの蛍光を測定する。
【先行技術文献】
【特許文献】
【０００３】
【特許文献１】特開２００９−２３６４８６号公報
【発明の概要】
【発明が解決しようとする課題】
【０００４】
ところで、印刷装置により印刷される画像として、例えば蛍光ピンクや蛍光イエローといった、蛍光色のインクにより形成された画像が含まれることがある。このような蛍光色は紫ＬＥＤや紫外ＬＥＤより長い波長域の光においても励起し、蛍光を発するため、任意照明下での精度の高い色推定を行うことができない。すなわち、蛍光色を含む画像における色測定では、紫ＬＥＤや紫外ＬＥＤより長い波長域の光を光源とした蛍光測定も必要である。
上述した特許文献１では、紫ＬＥＤや紫外ＬＥＤからの励起光により励起される蛍光増白剤の蛍光を測定する。しかしながら、紫ＬＥＤや紫外ＬＥＤより長い波長域の光においても励起し、蛍光発光する蛍光色に対しては、任意照明下での精度の高い色測定が困難である。
【０００５】
本発明は、複数の蛍光のそれぞれの蛍光特性を精度良く測定可能な分光測定装置、分光測定方法を提供することを目的とする。
【課題を解決するための手段】
【０００６】
本発明の一適用例に係る分光測定装置は、測定対象に対して励起光を出力する励起光源と、前記励起光源の駆動を制御する光源制御部と、前記測定対象にて反射された光の分光測定を実施する測定部と、を備え、前記励起光源は、ピーク波長がそれぞれ異なる複数の蛍光に対応して複数種設けられ、前記光源制御部は、複数種の前記励起光源のうちの１種の前記励起光源を点灯させて他の前記励起光源を消灯させ、点灯させる前記励起光源を順次変更することを特徴とする。
【０００７】
本適用例では、波長が異なる複数種の蛍光に対応した複数種の励起光源を備え、これらの励起光源が交互に点灯される。すなわち、測定対象に照射される励起光の波長が交互に切り替わる。よって、測定対象に複数の種類の蛍光物質が含まれる場合でも、励起光が交互に切り替わることで、励起される蛍光物質も交互に替わり、複数種の蛍光が交互に発せられる。よって、これらの蛍光をそれぞれ測定部にて測定することで、複数の蛍光に対する蛍光特性を、それぞれ個別に精度良く測定することができる。
【０００８】
本適用例の分光測定装置において、前記励起光源は、４２０ｎｍ以上４９０ｎｍ未満の波長域にピーク波長を有する第一励起光を出力する第一励起光源を含むことが好ましい。
【０００９】
黄色の蛍光色（以降、蛍光イエローと称する）を発生させる蛍光物質（黄色蛍光物質）として、例えば、紫外光から５１０ｎｍ程度の励起光により励起されて５１９ｎｍをピーク波長（蛍光波長）とした蛍光を発するものがある。
しかしながら、例えば、紙面上に黄色の蛍光インク（黄色蛍光物質）等が塗布された画像等では、紫外から４２０ｎｍ未満の波長範囲の励起光を用いて蛍光成分を測定し、任意照明下での色推定を行うと、その精度が低い。なぜならば、蛍光イエローは前述したとおり、４２０ｎｍから５１０ｎｍ程度の励起光でも励起されて蛍光を発生するが、その蛍光成分が色推定に含まれていないからである。
【００１０】
これに対して、本適用例では、紫外から４２０ｎｍ未満の波長範囲の励起光源とは別に、第一励起光源が４２０ｎｍ以上４９０ｎｍ未満の波長域にピーク波長を有する第一励起光を出力する。
これにより、蛍光イエローの蛍光特性を高精度に測定し、任意照明下における精度の高い色推定を行うことができる。
【００１１】
本適用例の分光測定装置において、前記励起光源は、４９０ｎｍ以上６００ｎｍ未満の波長域にピーク波長を有する第二励起光を出力する第二励起光源を含むことが好ましい。
【００１２】
ピンクの蛍光色（以降、蛍光ピンクと称する）を発生させる蛍光物質（桃色蛍光物質）として、例えば、紫外光から６００ｎｍ程度の励起光により励起されて６０６ｎｍをピーク波長（蛍光波長）とした蛍光を発するものがある。
しかしながら、紙面上に黄色蛍光物質及び桃色蛍光物質を含む蛍光インクにより画像が形成されている場合、４９０ｎｍ未満の波長範囲の励起光を用いて蛍光成分を測定し、任意照明下での色推定を行うと、その精度が低い。なぜならば、蛍光ピンクは前述したように、４９０ｎｍから６００ｎｍ程度の励起光でも励起されて蛍光を発生するが、その蛍光成分が色推定に含まれていないからである。
これに対して、本適用例では、４９０ｎｍ未満の波長範囲の励起光源とは別に、第二励起光源が設けられ、４９０ｎｍ以上６００ｎｍ未満の波長域にピーク波長を有する第二励起光を出力する。これにより、蛍光ピンクの蛍光特性を高精度に測定し、任意照明下における精度の高い色推定を行うことができる。
【００１３】
本適用例の分光測定装置において、前記励起光源は、３８０ｎｍ以上４２０ｎｍ未満の波長域にピーク波長を有する第三励起光を出力する第三励起光源を含むことが好ましい。
このような第三励起光源では、蛍光増白剤、蛍光イエロー、蛍光ピンクの３８０ｎｍ以上４２０ｎｍ未満の励起光における蛍光特性を測定できる。よって、第一励起光源、第二励起光源で得られた蛍光特性と併せることにより、任意照明下における色推定に必要となる蛍光増白剤、蛍光イエロー、及び蛍光ピンクの蛍光特性を得ることができる。
【００１４】
本適用例の分光測定装置において、前記測定対象に対して、白色光を出力する白色光源をさらに備え、前記光源制御部は、前記励起光源及び前記白色光源の駆動を制御し、前記励起光源を点灯させている間、前記白色光源を消灯させ、前記白色光源を点灯させている間、前記励起光源を消灯させることが好ましい。
本適用例では、白色光源を用いた測定を行うことで、測定対象に対する測色処理（例えば、各波長に対する反射率の算出や、ＲＧＢ等の色座標値の算出等）を行うことができる。また、白色光源を用いた測定結果と第一励起光源、第二励起光源、第三励起光源で得られた蛍光特性を併せることで、任意照明下における精度の高い色推定が可能となる。
【００１５】
本適用例の分光測定装置において、前記白色光源から出力される白色光の光路上に対して進退可能に設けた遮光部と、前記遮光部の移動を制御する遮光制御部と、を有し、前記遮光制御部は、前記励起光源を点灯させる際に前記遮光部を白色光の前記光路上に移動させることが好ましい。
上述した適用例において、励起光源を点灯させる際には、白色光源が消灯されるので、蛍光測定を実施する際に、測定対象に白色光が直接照射されることがない。しかしながら、白色光源は、励起光源の励起光を受けて発光する場合があり、この場合、測定対象に白色光源からの光も照射されてしまう。
これに対して、本適用例では、白色光源から測定対象に向かう光路上に遮光部が設けられ、励起光源が点灯されている際に、遮光部により白色光源からの光が遮光される。これにより、測定対象に対して励起光以外の光が入射される不都合が抑制され、蛍光特性を精度良く測定することができる。
【００１６】
本適用例の分光測定装置において、複数種の前記励起光源は、それぞれ複数個設けられ、前記測定対象から前記測定部に向かう方向から見た際に、前記測定部を中心とした仮想円の周方向に沿って配置されていることが好ましい。
本適用例では、励起光源は、測定部を中心とした仮想円の周方向に沿って配置されている。これにより、各励起光源から測定対象への距離や角度を均一にでき、各蛍光色のそれぞれに対する蛍光測定を精度良く実施できる。また、測定対象に凹凸が存在する場合では、１つの光源のみの場合、影ができることで精度の高い測定が実施できない場合がある。これに対して本適用例では、各種励起光源がそれぞれ複数設けられ、それぞれ異なる方向から測定対象に光が照射されるので、影の影響が抑制され、精度の高い測定を実施できる。
【００１７】
本発明に係る一適用例の分光測定方法は、測定対象に対して励起光を出力するとともに、それぞれ前記励起光の波長が異なる複数種の励起光源と、前記測定対象にて反射された光の分光測定を実施する測定部と、を備えた分光測定装置を用いた分光測定方法であって、複数種のうちの１種の前記励起光源を点灯させて他の前記励起光源を消灯させ、前記点灯させる前記励起光源を順次変更させながら、前記測定対象にて反射された光を前記測定部で測定することを特徴とする。
本適用例では、上述した適用例と同様に、複数の蛍光色のそれぞれに対する蛍光特性を精度良く測定することができる。
【図面の簡単な説明】
【００１８】
【図１】本発明の一実施形態におけるプリンターの概略構成を示す外観図。
【図２】本実施形態のプリンターの概略構成を示すブロック図。
【図３】本実施形態の分光器（分光測定装置）の概略構成を示す断面図。
【図４】本実施形態の光源部を＋Ｚ側から見た際の平面図。
【図５】励起光の波長と、励起光により励起される蛍光イエローの蛍光の波長との関係を示す図。
【図６】励起光の波長と、励起光により励起される蛍光ピンクの蛍光の波長との関係を示す図。
【図７】励起光の波長と、励起光により励起される蛍光増白剤の蛍光の波長との関係を示す図。
【図８】本実施形態の光源部及びシャッターを＋Ｚ側から見た際の、シャッターが遮光位置にある場合の平面図。
【図９】本実施形態の光源部及びシャッターを＋Ｚ側から見た際の、シャッターが開放位置にある場合の平面図。
【図１０】本実施形態における分光測定処理を示すフローチャート。
【発明を実施するための形態】
【００１９】
以下、本発明の一実施形態について説明する。
本実施形態では、分光測定装置である分光器を備えたプリンターを一例として説明する。図１は、本実施形態におけるプリンター１０の概略構成を示す外観図である。また、図２は、本実施形態のプリンター１０の概略構成を示すブロック図である。
図１に示すように、プリンター１０は、供給ユニット１１、搬送ユニット１２と、キャリッジ１３と、キャリッジ移動ユニット１４と、制御ユニット１５（図２参照）と、を備えている。このプリンター１０は、例えばパーソナルコンピューター等の外部機器２０から入力された印刷データに基づいて、各ユニット１１，１２，１４及びキャリッジ１３を制御し、メディアＭ（測定対象）上に画像を印刷する。また、本実施形態のプリンター１０は、予め設定された較正用印刷データに基づいてメディアＭ上の所定位置に測色用のテストパターンを形成し、かつ当該テストパターンに対する分光測定を行う。これにより、プリンター１０は、テストパターンに対する分光測定結果に基づく測色処理を実施し、その結果に応じて例えば印刷補正等の補正処理を行う。
以下、プリンター１０の各構成について具体的に説明する。
【００２０】
供給ユニット１１は、画像形成対象となるメディアＭを、画像形成位置に供給するユニットである。この供給ユニット１１は、例えばメディアＭが巻装されたロール体１１１（図１参照）、ロール駆動モーター（図示略）、及びロール駆動輪列（図示略）等を備える。そして、制御ユニット１５からの指令に基づいて、ロール駆動モーターが回転駆動されることで、ロール駆動輪列を介してロール体１１１が回転し、ロール体１１１に巻装された紙面が副走査方向（Ｙ方向）における下流側（＋Ｙ側）に供給される。
なお、本実施形態では、ロール体１１１に巻装された紙面を供給する例を示すがこれに限定されない。例えば、トレイ等に積載された紙面等のメディアＭをローラー等によって例えば１枚ずつ供給する等、如何なる供給方法によってメディアＭが供給されてもよい。
【００２１】
搬送ユニット１２は、供給ユニット１１から供給されたメディアＭを、Ｙ方向に沿って搬送する。この搬送ユニット１２は、例えば、搬送ローラー１２１と、搬送ローラー１２１とメディアＭを挟んで配置され、搬送ローラー１２１に従動する従動ローラー（図示略）と、プラテン１２２と、を含んで構成されている。
搬送ローラー１２１は、図示略の搬送モーターが制御ユニット１５の制御により駆動されることで回転され、従動ローラーとの間にメディアＭを挟み込んだ状態で、メディアＭをＹ方向に沿って搬送する。また、搬送ローラー１２１の＋Ｙ側には、キャリッジ１３に対向するプラテン１２２が設けられている。
【００２２】
キャリッジ１３は、メディアＭに対して画像を印刷する印刷部１６と、メディアＭ上の所定の測定位置の分光測定を行う分光器１７（分光測定装置）と、を備えている。
このキャリッジ１３は、キャリッジ移動ユニット１４によって、Ｙ方向と交差する主走査方向（Ｘ方向）に沿って移動可能に設けられている。また、キャリッジ１３は、フレキシブル回路１３１により制御ユニット１５に接続され、制御ユニット１５からの指令に基づいて、印刷部１６による印刷処理及び、分光器１７による分光測定処理を実施する。
なお、キャリッジ１３の詳細な構成については後述する。
【００２３】
キャリッジ移動ユニット１４は、制御ユニット１５からの指令に基づいて、キャリッジ１３をＸ方向に沿って往復移動させる。このキャリッジ移動ユニット１４は、例えば、キャリッジガイド軸１４１と、キャリッジモーター１４２と、タイミングベルト１４３と、を含んで構成されている。
キャリッジガイド軸１４１は、Ｘ方向に沿って配置され、両端部がプリンター１０の例えば筐体に固定されている。キャリッジモーター１４２は、タイミングベルト１４３を駆動させる。タイミングベルト１４３は、キャリッジガイド軸１４１と略平行に支持され、キャリッジ１３の一部が固定されている。そして、制御ユニット１５の指令に基づいてキャリッジモーター１４２が駆動されると、タイミングベルト１４３が正逆走行され、タイミングベルト１４３に固定されたキャリッジ１３がキャリッジガイド軸１４１にガイドされて往復移動する。
【００２４】
次に、キャリッジ１３に設けられる印刷部１６及び分光器１７の構成について、図面に基づいて説明する。
［印刷部１６の構成］
印刷部１６は、メディアＭと対向する部分に、インクを個別にメディアＭ上に吐出して、メディアＭ上に画像を形成する。
この印刷部１６は、例えば、複数色のインクに対応したインクカートリッジ（図示略）が着脱自在に装着されており、各インクカートリッジからインクタンク（図示略）にチューブ（図示略）を介してインクが供給される。また、印刷部１６の下面（メディアＭに対向する位置）には、インク滴を吐出するノズル（図示略）が、各色に対応して設けられている。これらのノズルには、例えばピエゾ素子が配置されており、ピエゾ素子を駆動させることで、インクタンクから供給されたインク滴が吐出されてメディアＭに着弾し、ドットが形成される。
【００２５】
［分光器１７の構成］
図３は、分光器１７の概略構成を示す断面図である。
分光器１７は、本発明における分光測定装置であり、図３に示すように、基台１７１と、基台１７１に保持（固定）されるフィルター保持基板１７２と、基台１７１に固定される受光素子保持基板１７３と、光源部１７４と、シャッター１７５と、駆動制御部１７６（図２参照）と、を備えている。
【００２６】
（基台１７１の構成）
基台１７１は、キャリッジ１３に固定され、フィルター保持基板１７２、受光素子保持基板１７３、光源部１７４、及びシャッター１７５を保持する部材である。この基台１７１としては、例えば、図３に示すように、第一基部１７１Ａ、第二基部１７１Ｂ、第三基部１７１Ｃ、及び第四基部１７１Ｄを備える。
第一基部１７１Ａは、キャリッジ１３に固定され、メディアＭの測定位置Ｐに対向する位置に、メディアＭにて反射された光が通過する第一導入孔１７１Ａ１を備える。第一導入孔１７１Ａ１は、Ｚ方向と平行な軸（受光素子１７３Ａの光軸であり、以降、測定光軸Ｌとする）を有する筒状の内周面を有する孔部であり、＋Ｚ側に、メディアＭにて反射された光が入射される入射窓１７１Ａ２が設けられている。
また、第一基部１７１ＡのメディアＭに対向する面（＋Ｚ側の面）には、図３に示すように、光源部１７４及びシャッター１７５が設けられている。
【００２７】
第二基部１７１Ｂは、第一基部１７１ＡのメディアＭとは反対側に固定される。第二基部１７１Ｂには、第一導入孔１７１Ａ１と連通する第二導入孔１７１Ｂ１を備える。第二導入孔１７１Ｂ１は、第一導入孔１７１Ａ１と同軸（測定光軸Ｌを中心軸とした）の筒状の内周面を有する孔部である。
第二基部１７１Ｂの−Ｚ側の面には、凹部１７１Ｂ２が設けられている。当該凹部１７１Ｂ２の底面には、凹部１７１Ｂ２と第二導入孔１７１Ｂ１と連通させる通過孔１７１Ｂ３が設けられている。この凹部１７１Ｂ２は、バンドパスフィルターやレンズ等の光学部材１７１Ｂ４、及び分光フィルター１７２Ａが配置される空間となり、第三基部１７１Ｃとの間で密閉された空間となる。
そして、第二基部１７１Ｂの−Ｚ側の面には、凹部１７１Ｂ２を覆うように、フィルター保持基板１７２が固定されている。第二基部１７１Ｂとフィルター保持基板１７２との固定は、例えばねじ止めや接着剤や樹脂部材による固定を例示できる。このフィルター保持基板１７２には、分光フィルター１７２Ａが配置されており、分光フィルター１７２Ａは、凹部１７１Ｂ２内で、測定光軸Ｌ上に配置される。
【００２８】
第三基部１７１Ｃは、第二基部１７１Ｂに固定され、受光素子保持基板１７３が固定される。第三基部１７１Ｃと受光素子保持基板１７３との固定は、例えばねじ止めや接着剤による固定を例示できる。第三基部１７１Ｃは、図３に示すように、測定光軸Ｌに沿った貫通孔を有し、受光素子保持基板１７３に設けられた受光素子１７３Ａが測定光軸Ｌ上に配置されるように、受光素子保持基板１７３が固定されている。
第四基部１７１Ｄは、カバー部材であり、第三基部１７１Ｃに固定された受光素子保持基板１７３の−Ｚ側の面を覆って設けられている。
また、第三基部１７１Ｃと第二基部１７１Ｂとの間、第三基部１７１Ｃと第四基部１７１Ｄとの間には、それぞれ遮光部材等が介在されることで、受光素子１７３Ａへの外光の入射が抑制されている。
【００２９】
なお、本実施形態では、入射窓１７１Ａ２、第一導入孔１７１Ａ１、第二導入孔１７１Ｂ１、通過孔１７１Ｂ３、分光フィルター１７２Ａ、及び受光素子１７３Ａが同軸上に配置される例を示すが、これに限らない。例えば、分光フィルター１７２Ａや受光素子１７３Ａが、第一導入孔１７１Ａ１や第二導入孔１７１Ｂ１とは異なる軸上に設けられ、例えばミラー等により反射されて入射窓１７１Ａ２から入射した光を、分光フィルター１７２Ａを介して受光素子１７３Ａに受光させてもよい。
【００３０】
（フィルター保持基板１７２の構成）
フィルター保持基板１７２は、上述のように、基台１７１の第二基部１７１Ｂに固定されている。このフィルター保持基板１７２には、分光フィルター１７２Ａが固定されている。分光フィルター１７２Ａとしては、例えば、一対の反射膜を有し、反射膜間の距離を変化させることで透過波長を変化させる波長可変干渉フィルターを用いることができる。なお、分光フィルター１７２Ａとしては、その他、グレーティング素子、液晶チューナブルフィルター、音響光学フィルター等を用いてもよい。
また、フィルター保持基板１７２は、分光フィルター１７２Ａを駆動させる駆動回路（ドライバー回路）等が設けられていてもよい。
【００３１】
（受光素子保持基板１７３の構成）
受光素子保持基板１７３は、上述のように、基台１７１の第三基部１７１Ｃに固定されている。この受光素子保持基板１７３には、受光素子１７３Ａが固定されている。受光素子１７３Ａとしては、例えば、ＣＣＤ（Charge Coupled Device）等のイメージセンサーを用いてもよく、単一又は複数のフォトダイオードにより構成されていてもよい。
なお、フィルター保持基板１７２に保持される分光フィルター１７２Ａと、受光素子保持基板１７３により保持される受光素子１７３Ａとにより、本発明の測定部が構成されている。
受光素子保持基板１７３は、受光素子１７３Ａからの受光信号を処理する受光回路等が組み込まれていてもよい。
【００３２】
（光源部１７４の構成）
図４は、分光器１７の光源部１７４を＋Ｚ側から見た際の平面図である。
光源部１７４は、光源保持基板１７４Ａと、光源保持基板１７４Ａに保持された複数の光源１７４Ｂを備えている。これらの複数の光源１７４Ｂは、測定光軸Ｌを中心とした仮想円Ｃに沿った複数の光源１７４Ｂを有する。具体的には、図４に示すように、複数の光源１７４Ｂが仮想円Ｃ上で、等角度間隔（例えば本実施形態では、３０°間隔）で配置されている。
【００３３】
仮想円Ｃの径寸法は、例えば、各光源１７４Ｂからプラテン１２２までの距離に応じて設定されている。すなわち、本実施形態では、光源１７４Ｂから出射された光が、プラテン１２２上のメディアＭと、測定光軸Ｌとの交点を中心とした所定範囲の測定位置Ｐに照射される。ここで、本実施形態では、測色規格（JIS Z 8722）により規定された光学的幾何条件における（４５°ｘ：０°）の方式に従って分光器１７による測定を実施する。つまり、本実施形態では、光源１７４Ｂからの照明光を測定位置Ｐに対して４５°±２°の入射角で入射させ、測定対象にて０°±１０°で法線方向に反射された光が測定光軸Ｌに沿って受光素子１７３Ａに入射される。したがって、各光源１７４Ｂは、測定光軸Ｌからの距離が、光源１７４Ｂからプラテン１２２までの距離（光源１７４Ｂからプラテン１２２に垂線を降ろした際の垂線の長さ）と、略同寸法となる位置にそれぞれ配置されていることが好ましい。
【００３４】
そして、この複数の光源１７４Ｂは、出力する光の波長がそれぞれ異なる複数種（４種）の光源を含み、具体的には、白色光源１７４Ｂ１、第一励起光源１７４Ｂ２、第二励起光源１７４Ｂ３、及び第三励起光源１７４Ｂ４が含んで構成されている。
白色光源１７４Ｂ１は、例えば白色ＬＥＤにより構成されて白色光を出射する。本実施形態では、図４に示すように、複数個（本実施形態では３個）の白色光源１７４Ｂ１が、１２０°間隔で配置されている。
【００３５】
第一励起光源１７４Ｂ２は、４２０ｎｍ以上４９０ｎｍ未満の波長域にピーク波長を有する第一励起光を出力する光源である。本実施形態では、例えば４６０ｎｍをピーク波長とした第一励起光を出力する青ＬＥＤが用いられる。本実施形態では、第一励起光源１７４Ｂ２は、複数個（本実施形態では３個）設けられ、１２０°間隔で配置される。
【００３６】
第二励起光源１７４Ｂ３は、４９０ｎｍ以上６００ｎｍ未満の波長域にピーク波長を有する第二励起光を出力する光源である。本実施形態では、例えば５７０ｎｍをピーク波長とした励起光を出力するＬＥＤ（緑ＬＥＤ）が用いられる。本実施形態では、第二励起光源１７４Ｂ３は、複数個（本実施形態では３個）設けられ、１２０°間隔で配置される。
【００３７】
第三励起光源１７４Ｂ４は、３８０ｎｍ以上４２０ｎｍ未満の波長域にピーク波長を有する第三励起光（紫外光）を出力する光源である。本実施形態では、例えば３８０ｎｍをピーク波長とした紫外励起光を出力するＬＥＤが用いられる。本実施形態では、第三励起光源１７４Ｂ４は、複数個（本実施形態では３個）設けられ、１２０°間隔で配置される。
これらの白色光源１７４Ｂ１、第一励起光源１７４Ｂ２、第二励起光源１７４Ｂ３、及び第三励起光源１７４Ｂ４は、それぞれ独立して駆動可能となる。
なお、第一励起光源１７４Ｂ２、第二励起光源１７４Ｂ３、及び第三励起光源１７４Ｂ４は、それぞれ単一波長の励起光を出力する光源であり、各励起光の半値幅は、例えば２０ｎｍ以下となる。
【００３８】
また、本実施形態では、仮想円Ｃの周方向に沿って、白色光源１７４Ｂ１を挟んで、第二励起光源１７４Ｂ３及び第三励起光源１７４Ｂ４が配置され、第一励起光源１７４Ｂ２は、白色光源１７４Ｂ１から最も遠い位置に配置される。つまり、本実施形態では、仮想円Ｃの周方向に沿って、白色光源１７４Ｂ１、第二励起光源１７４Ｂ３、第一励起光源１７４Ｂ２、第三励起光源１７４Ｂ４の順に配列されている。
これにより、第一励起光源１７４Ｂ２を発光させた際の第一励起光が白色光源１７４Ｂ１に入射され、白色光源１７４Ｂ１が発光する不都合を抑制できる。
【００３９】
なお、これらの光源１７４Ｂは、光源保持基板１７４Ａの−Ｚ側の面から突出して設けられていてもよく、光源保持基板１７４Ａに各光源１７４Ｂに対応した凹部を設け、当該凹部内にそれぞれ１つの光源１７４Ｂを設けてもよい。凹部内に光源１７４Ｂを設ける場合、各光源１７４Ｂを発光させた際に、励起光が白色光源１７４Ｂ１に入射される不都合をより確実に抑制できる。
【００４０】
ここで、第一励起光源１７４Ｂ２、第二励起光源１７４Ｂ３、及び第三励起光源１７４Ｂ４から出力される各励起光について説明する。
図５は、励起光の波長と、励起光により励起される蛍光イエローの蛍光の波長との関係を示す図である。図６は、励起光の波長と、励起光により励起される蛍光ピンクの蛍光の波長との関係を示す図である。図７は、励起光の波長と、励起光により励起される蛍光増白剤の蛍光の波長との関係を示す図である。
【００４１】
図５に示すように、蛍光イエローの蛍光（以降、単に蛍光イエローと称する場合がある）は、黄色の蛍光を発光する黄色蛍光物質が、紫外光（図５では３８０ｎｍ）から５１０ｎｍの波長の光を励起光として励起されることで発生する。この蛍光イエローは、図５に示すように、前記励起光によって５１９ｎｍをピーク波長として、所定の発光波長域に強度分布を有する光となる。ここで、蛍光イエローの発光強度及び発光波長域は、励起光の波長により変化し、紫外光を励起光とした際に、最も強い光強度を発せられ、発光波長域も広くなり、励起光の波長が長波長側にシフトするにつれて、光強度が漸減し、発光波長域も狭くなる。
【００４２】
ところで、紫外から４２０ｎｍ未満の波長範囲の励起光を用いて蛍光成分を測定し、任意照明下での色推定を行うと、その精度が低い。なぜならば、蛍光イエローは前述したとおり、４２０ｎｍから５１０ｎｍ程度の励起光でも励起されて蛍光を発生するが、その蛍光成分た色推定に含まれていない為である。
【００４３】
これに対して、本実施形態では、紫外から４２０ｎｍ未満の波長範囲の励起光源とは別に、第一励起光源が４２０ｎｍ以上４９０ｎｍ未満の波長域にピーク波長を有する第一励起光を出力する。これにより、蛍光イエローの蛍光特性を高精度に測定し、任意照明下における精度の高い色推定が可能となる。
【００４４】
また、図６に示すように、蛍光ピンクは、蛍光イエローと同様、紫外光を励起光とすることで、最も強い強度の蛍光が得られる。しかしながら、図５に示す蛍光イエローとは異なり、４９０ｎｍ未満の波長範囲の励起光を用いて蛍光成分を測定し、任意照明下での色推定を行うと、その精度が低い。なぜならば、蛍光ピンクは前述したとおり、４９０ｎｍから６００ｎｍ程度の励起光でも励起されて蛍光を発生するが、その蛍光成分が色推定に含まれていないからである。
これに対して、本実施形態では、４９０ｎｍ未満の波長範囲の励起光源とは別に、第二励起光源が４９０ｎｍ以上６００ｎｍ未満の波長域にピーク波長を有する第二励起光を出力する。これにより、蛍光ピンクの蛍光特性を高精度に測定し、任意照明下における精度の高い色推定が可能となる。
【００４５】
また、本実施形態では、第三励起光源１７４Ｂ４は、３８０ｎｍ以上４２０ｎｍ未満の間にピーク波長を有する第三励起光を出射する。この第三励起光源により、蛍光増白剤、蛍光イエロー、蛍光ピンクの３８０ｎｍ以上４２０ｎｍ未満の励起光における蛍光特性を測定できる。よって、第一励起光源、第二励起光源で得られた蛍光特性と併せることにより、任意照明下における色推定に必要となる蛍光増白剤、蛍光イエロー、蛍光ピンクの蛍光特性を得ることができる。
【００４６】
（シャッター１７５の構成）
図８及び図９は、分光器１７の光源部１７４及びシャッター１７５を＋Ｚ側から見た際の平面図であり、図８は、白色光が遮光される遮光位置にシャッター１７５を回転させた際の平面図、図９は、白色光がメディアＭに照射される開放位置にシャッター１７５を回転させた際の平面図である。
シャッター１７５は、図８及び図９に示すように、−Ｚ側から分光器１７を見る平面視において、光源部１７４の各光源１７４Ｂを囲う円環状の環状部材１７５Ａと、環状部材１７５Ａの環内周縁１７５Ａ１から測定光軸Ｌ側に突出する遮光部１７５Ｂとを備える。
また、図示は省略するが、シャッター１７５は、環状部材１７５Ａを、測定光軸Ｌを中心として、仮想円Ｃの周方向に沿って回転させる回転駆動機構を備える。回転駆動機構としては、例えば、環外周縁１７５Ａ２に沿って形成される歯車（図示略）と、当該歯車に係合される駆動歯車と、駆動歯車をステップ駆動させるステッピングモーター等を備える構成等が例示できる。
【００４７】
遮光部１７５Ｂは、白色光源１７４Ｂ１からの白色光を遮光する部材である。遮光部１７５Ｂの環状部材１７５Ａからの突出寸法Ｄは、白色光源１７４Ｂ１を覆い、かつ、測定光軸Ｌに重ならない寸法である。すなわち、シャッター１７５を遮光位置に回転移動させた際に、白色光源１７４Ｂ１からの白色光がメディアＭの測定位置Ｐに照射されず、また、測定位置Ｐにて反射された光が遮光部１７５Ｂにより阻害されない寸法となる。
遮光部１７５Ｂの幅寸法Ｗ（仮想円Ｃの接線方向に沿う寸法）は、シャッター１７５が遮光位置に回転移動された際に、白色光源１７４Ｂ１を覆い、第二励起光源１７４Ｂ３や第三励起光源１７４Ｂ４と重ならない寸法である。
各光源１７４Ｂが、基台１７１に設けられた凹部に格納される場合では、１つ凹部を覆う突出寸法Ｄ及び幅寸法Ｗとすればよい。
【００４８】
（駆動制御部１７６の構成）
駆動制御部１７６は、制御ユニット１５の制御指令に基づいて、分光器１７の駆動を制御する。
駆動制御部１７６は、マイコン等の演算回路やメモリー等の記憶回路、各種ドライバー回路等を備えて構成されており、図２に示すように、フィルター制御部１７６Ａ、受光制御部１７６Ｂ、光源制御部１７６Ｃ、シャッター制御部１７６Ｄとして機能する。
【００４９】
フィルター制御部１７６Ａは、分光フィルター１７２Ａの駆動を制御し、分光フィルター１７２Ａを透過させる光の波長を変化させる。
受光制御部１７６Ｂは、受光素子１７３Ａの駆動を制御し、受光素子１７３Ａが光を受光した際に出力される受光信号を受信する。
【００５０】
光源制御部１７６Ｃは、光源部１７４の各光源１７４Ｂの点灯及び消灯を制御する。例えば、本実施形態では、メディアＭの測定位置Ｐにおける色度を測定する場合、白色光源１７４Ｂ１、第一励起光源１７４Ｂ２，第二励起光源１７４Ｂ３、及び第三励起光源１７４Ｂ４の順に点灯、消灯させる。
【００５１】
シャッター制御部１７６Ｄは、本発明の遮光制御部に相当し、シャッター１７５の位置を制御する。具体的には、シャッター制御部１７６Ｄは、メディアＭの測定位置Ｐにおける色度を測定する場合において、白色光源１７４Ｂ１を点灯させる際は環状部材１７５Ａを回転移動させてシャッター１７５を開放位置に移動させる。一方、シャッター制御部１７６Ｄは、第一励起光源１７４Ｂ２、第二励起光源１７４Ｂ３、第三励起光源１７４Ｂ４を点灯させる際に、環状部材１７５Ａを回転移動させてシャッター１７５を遮光位置に移動させる。
【００５２】
［制御ユニットの構成］
制御ユニット１５は、本発明の制御部であり、図２に示すように、Ｉ／Ｆ１５１と、ユニット制御回路１５２と、メモリー１５３と、ＣＰＵ（Central Processing Unit）１５４と、を含んで構成されている。
Ｉ／Ｆ１５１は、外部機器２０から入力される印刷データをＣＰＵ１５４に入力する。
ユニット制御回路１５２は、供給ユニット１１、搬送ユニット１２、印刷部１６、分光器１７、及びキャリッジ移動ユニット１４をそれぞれ制御する制御回路を備えており、ＣＰＵ１５４からの指令信号に基づいて、各ユニットの動作を制御する。なお、各ユニットの制御回路が、制御ユニット１５とは別体に設けられ、制御ユニット１５に接続されていてもよい。
【００５３】
メモリー１５３は、プリンター１０の動作を制御する各種プログラムや各種データが記憶されている。
各種データとしては、例えば、分光フィルター１７２Ａを透過させる光の波長に対する当該分光フィルター１７２Ａの制御値を示した駆動テーブル、印刷データとして含まれる色データに対する各インクの吐出量を記憶した印刷プロファイルデータ等が挙げられる。
【００５４】
ＣＰＵ１５４は、メモリー１５３に記憶された各種プログラムを読み出し実行することで、各ユニット１１，１２，１４の駆動制御、印刷部１６の印刷制御、分光器１７による測定制御、分光器１７の分光測定結果に基づく測色処理や、印刷プロファイルデータの補正（更新）処理等を実施する。
【００５５】
［分光測定方法］
次に、上述したようなプリンター１０におけるメディアＭに対する分光測定方法（分光測定処理）について、以下説明する。
図１０は、本実施形態における分光測定処理を示すフローチャートである。
本実施形態における蛍光測定処理では、例えば、プリンター１０は、例えばユーザー操作や外部機器２０からの入力により、メディアＭに対する分光測定を実施する旨の指令を受け付けると、制御ユニット１５は、分光器１７に対して、分光測定処理を指令する測定指令を出力する。
【００５６】
分光器１７は、測定指令を受信すると、先ず、蛍光測定処理を実施する。これには、先ず、シャッター制御部１７６Ｄが、シャッター１７５の回転駆動機構を制御して、シャッター１７５を遮光位置に移動させる（ステップＳ１）。これにより、遮光部１７５Ｂが白色光源１７４Ｂ１からの白色光を遮光する位置に移動される。
【００５７】
次に、光源制御部１７６Ｃは、第一励起光源１７４Ｂ２を点灯させ、白色光源１７４Ｂ１，第二励起光源１７４Ｂ３、及び第三励起光源１７４Ｂ４を消灯させる（ステップＳ２）。
これにより、第一励起光源１７４Ｂ２からの第一励起光が、メディアＭの測定位置Ｐに照射される。測定位置Ｐに例えば蛍光イエローや蛍光ピンクを発生させる黄色蛍光物質や桃色蛍光物質を含むインクが存在する場合、当該蛍光物質が第一励起光により励起されて蛍光イエローや蛍光ピンクの蛍光が発光する。
【００５８】
また、フィルター制御部１７６Ａは、分光フィルター１７２Ａを制御して、分光フィルター１７２Ａを透過させる光の波長を順次変化させ、受光制御部１７６Ｂは、各波長の光の受光量に応じた受光信号を受光素子１７３Ａから受信する（ステップＳ３）。すなわち、第一励起光により発光する蛍光（蛍光イエローや蛍光ピンク）の所定波長間隔の各波長の光の光量を測定する。
【００５９】
次に、光源制御部１７６Ｃは、第二励起光源１７４Ｂ３を点灯させ、白色光源１７４Ｂ１，第一励起光源１７４Ｂ２、及び第三励起光源１７４Ｂ４を消灯させる（ステップＳ４）。そして、フィルター制御部１７６Ａは、分光フィルター１７２Ａを制御して、分光フィルター１７２Ａを透過させる光の波長を順次変化させ、受光制御部１７６Ｂは、蛍光ピンクの蛍光成分を各波長の光の受光量に応じた受光信号で受光素子１７３Ａから受信する（ステップＳ５）。すなわち、第二励起光により発光する蛍光（蛍光ピンク）の所定波長間隔の各波長の光の光量を測定する。
【００６０】
さらに、光源制御部１７６Ｃは、第三励起光源１７４Ｂ４を点灯させ、白色光源１７４Ｂ１，第一励起光源１７４Ｂ２、及び第二励起光源１７４Ｂ３を消灯させる（ステップＳ６）。そして、フィルター制御部１７６Ａは、分光フィルター１７２Ａを制御して、蛍光イエロー、蛍光ピンク、及び蛍光増白剤の蛍光成分を各波長の光の受光量に応じた受光信号で受光素子１７３Ａから受信する（ステップＳ７）。すなわち、第三励起光により発光する蛍光（蛍光イエロー、蛍光ピンク、及び蛍光増白剤により発光される蛍光色）の所定波長間隔の各波長における光量を測定する。
【００６１】
また、ステップＳ３、ステップＳ５、及びステップＳ７により得られた蛍光測定結果（受光信号に応じた光量）は、それぞれ制御ユニット１５に送信され、メモリー１５３に記憶される。
なお、ここでは、ステップＳ３からステップＳ７の処理をそれぞれ１回実施する例を示すが、ステップＳ３からステップＳ７の処理を複数回実施し、測定された光量の平均値を求めてもよい。
【００６２】
次に、分光器１７は、色測定処理を実施する。これには、シャッター制御部１７６Ｄは、シャッター１７５の回転駆動機構を制御して、シャッター１７５を開放位置に移動させる（ステップＳ８）。これにより、遮光部１７５Ｂが白色光源１７４Ｂ１から退避し、測定位置Ｐに白色光を照射可能な位置に移動される。
【００６３】
この後、光源制御部１７６Ｃは、白色光源１７４Ｂ１を点灯させ、第一励起光源１７４Ｂ２，第二励起光源１７４Ｂ３、及び第三励起光源１７４Ｂ４を消灯させる（ステップＳ９）。
また、フィルター制御部１７６Ａは、分光フィルター１７２Ａを制御して、分光フィルター１７２Ａを透過させる光の波長を順次変化させ、受光制御部１７６Ｂは、各波長の光の受光量に応じた受光信号を受光素子１７３Ａから受信する（ステップＳ１０）。すなわち、測定位置Ｐにて反射された光に含まれる、所定の波長間隔毎の光の光量をそれぞれ測定する。ステップＳ１０により得られた色測定結果（受光信号に応じた光量）は、制御ユニット１５に送信され、メモリー１５３に記憶される。
この後、光源制御部１７６Ｃは、全ての光源１７４Ｂを消灯する（ステップＳ１１）。
【００６４】
以上の分光器１７による分光測定処理の後、制御ユニット１５は、ステップＳ１０により得られた色測定結果と、ステップＳ３からステップＳ７により得られた蛍光測定結果とに基づいて、測色処理を実施する。測色処理としては、例えば、色測定結果及び蛍光測定結果に基づいて、各波長に対する反射率の算出や、ＲＧＢ等の色座標値の算出等を行う。この際、測色結果に基づいて、蛍光を含んだ任意照明下での精度の高い色推定が可能となる。
【００６５】
［本実施形態の作用効果］
本実施形態では、分光器１７は、第一励起光源１７４Ｂ２、第二励起光源１７４Ｂ３、及び第三励起光源１７４Ｂ４を含む複数の光源１７４Ｂと、これらの光源１７４Ｂを制御する光源制御部１７６Ｃとを備える。そして、光源制御部１７６Ｃは、蛍光測定処理を実施する際に、第一励起光源１７４Ｂ２、第二励起光源１７４Ｂ３、及び第三励起光源１７４Ｂ４を順次切り替える。
これにより、分光器１７において、第一励起光源１７４Ｂ２、第二励起光源１７４Ｂ３、及び第三励起光源１７４Ｂ４の各励起光が交互に切り替わり、それぞれの励起光に対応する蛍光も交互に発せられる。このため、分光器１７において、各蛍光に対する蛍光特性をそれぞれ個別に精度良く測定することができる。
【００６６】
第一励起光源１７４Ｂ２は、４２０ｎｍ以上４９０ｎｍ未満の第一励起光を出力する。このような第一励起光により、波長５１９ｎｍを中心とした蛍光イエローの蛍光が生じる。紫外から４２０ｎｍ未満の波長範囲の励起光源とは別に、第一励起光を出力することで、蛍光イエローの蛍光特性を高精度に測定し、任意照明下における精度の高い色推定ができる。
【００６７】
第二励起光源１７４Ｂ３は、４９０ｎｍ以上６００ｎｍ未満の第二励起光を出力する。
このような第二励起光により、波長６０６ｎｍを中心とした蛍光ピンクの蛍光が生じる。紫外から４９０ｎｍ未満の波長範囲の励起光源とは別に、第二励起光を出力することで、蛍光ピンクの蛍光特性を高精度に測定し、任意照明下における精度の高い色推定ができる。
【００６８】
第三励起光源１７４Ｂ４は、３８０ｎｍ以上４２０ｎｍ未満の第三励起光を出力する。このような第三励起光源では、蛍光増白剤、蛍光イエロー、蛍光ピンクの３８０ｎｍ以上４２０ｎｍ未満の励起光における蛍光特性を測定できる。よって、第一励起光源、第二励起光源で得られた蛍光特性と併せることにより、任意照明下における色推定に必要となる蛍光増白剤、蛍光イエロー、蛍光ピンクの蛍光特性を得ることができる。
【００６９】
本実施形態の分光器１７は、白色光を出力する白色光源１７４Ｂ１をさらに備える。そして、光源制御部１７６Ｃは、第一励起光源１７４Ｂ２、第二励起光源１７４Ｂ３、及び第三励起光源１７４Ｂ４のいずれかを点灯させている間、白色光源１７４Ｂ１を消灯させ、白色光源１７４Ｂ１を点灯させている間、第一励起光源１７４Ｂ２、第二励起光源１７４Ｂ３、及び第三励起光源１７４Ｂ４を消灯させる。
これにより、白色光を用いたメディアＭの色測定を行うことができる。また、白色光源１７４Ｂ１を用いた測定結果と第一励起光源１７４Ｂ２、第二励起光源１７４Ｂ３、第三励起光源１７４Ｂ４で得られた蛍光特性を併せることで、任意照明下における精度の高い色推定が可能となる。
【００７０】
本実施形態では、白色光源１７４Ｂ１から出力される白色光の光路上に対して進退可能に設けた遮光部１７５Ｂを含むシャッター１７５が設けられる。そして、シャッター制御部１７６Ｄは、第一励起光源１７４Ｂ２、第二励起光源１７４Ｂ３、及び第三励起光源１７４Ｂ４のいずれかを点灯させる際に、遮光部１７５Ｂが白色光の光路上に位置する遮光位置にシャッター１７５を移動させる。
これにより、励起光が白色光源１７４Ｂ１に含まれる蛍光物質に入射して、蛍光が発せられ、白色光がメディアＭに照射される不都合を抑制できる。
【００７１】
本実施形態では、白色光源１７４Ｂ１、第一励起光源１７４Ｂ２、第二励起光源１７４Ｂ３、及び第三励起光源１７４Ｂ４がそれぞれ３個ずつ設けられ、３０°間隔で、仮想円Ｃの周方向に沿って配置されている。
これにより、各励起光源１７４Ｂ２，１７４Ｂ３，１７４Ｂ４から測定位置Ｐまでの距離や角度を均一にでき、各蛍光色の蛍光特性の測定を精度良く実施できる。また、メディアＭの表面に凹凸が存在する場合でも、影が形成される不都合等が抑制され、精度の高い測定が実施できる。
【００７２】
また、第一励起光源１７４Ｂ２、第二励起光源１７４Ｂ３、及び第三励起光源１７４Ｂ４は、周方向に沿って隣り合う２つの白色光源１７４Ｂ１の間に、第二励起光源１７４Ｂ３、第一励起光源１７４Ｂ２、及び第三励起光源１７４Ｂ４の順に配置されている。
本実施形態では、白色光源１７４Ｂ１として、白色ＬＥＤを用いている。このような白色ＬＥＤの発光手法は様々であるが、高い発光効率で白色を得る構成として、青色ＬＥＤを点灯させ、黄色蛍光体を光らせて白色を得る構成が挙げられる。
一方、第一励起光源１７４Ｂ２は、青色光を第一励起光として出力する光源であり、当該青色光が白色ＬＥＤに入射されると、上記黄色蛍光体が発光してしまい、白色光源１７４Ｂ１からの光がメディアＭに照射されてしまう。この場合、蛍光特性を測定精度が低下してしまう等の不都合が生じる。
これに対して、本適用例では、第一励起光源１７４Ｂ２が白色光源１７４Ｂ１から最も離れた位置に配置されている。これにより、第一励起光が白色光源１７４Ｂ１に入射されて、白色光がメディアＭに照射される不都合を抑制することができる。
【００７３】
本実施形態では、シャッター１７５は、環状部材１７５Ａと、遮光部１７５Ｂとを備え、遮光部１７５Ｂが環状部材１７５Ａの内側に測定光軸Ｌ側に突出して設けられている。
このような構成では、環状部材１７５Ａを回転させることで、白色光源１７４Ｂ１からの白色光を遮光する遮光位置と、白色光源１７４Ｂ１から退避する開放位置とに容易に移動させることができる。
【００７４】
［変形例］
なお、本発明は前述の実施形態に限定されるものではなく、本発明の目的を達成できる範囲での変形、改良等は本発明に含まれるものである。
【００７５】
例えば、上記実施形態では、測定の対象となる蛍光色が、蛍光増白剤による蛍光色（ピーク波長４４３ｎｍ）、蛍光イエロー（ピーク波長５１９ｎｍ）、及び蛍光ピンク（ピーク波長６０６ｎｍ）の蛍光特性を測定する例であるが、他の蛍光色の蛍光特性を測定してもよい。この場合、蛍光色の励起波長範囲が含まれる励起光の波長を設定すればよい。
つまり、本発明の分光測定装置では、第一波長範囲の第一励起光によって励起される、第一蛍光波長をピーク波長とした第一蛍光と、第二波長範囲の第二励起光によって励起される、第二蛍光波長をピーク波長とした第二蛍光とのそれぞれの蛍光特性を測定する。
このような第一励起光及び第二励起光を出力する第一励起光源、及び第二励起光源を用い、交互に第一励起光源及び第二励起光源の点灯を切り替えることで、蛍光特性をそれぞれ高精度に測定することが可能となる。
【００７６】
また、上記実施形態において、蛍光ピンクの蛍光特性を測定する際に、４９０ｎｍ以上６００ｎｍ未満の間にピーク波長を有する第二励起光を出力する第二励起光源１７４Ｂ３を用いたが、第二励起光源１７４Ｂ３が設けられず、第一励起光源１７４Ｂ２のみを用いた測定を実施してもよい。
すなわち、図５及び図６に示すように、第一励起光（４２０ｎｍ以上４９０ｎｍ未満の波長域にピーク波長を有する光）は、蛍光イエローと蛍光ピンクの双方を励起させるが、蛍光ピンクに蛍光イエローのピーク波長である５１９ｎｍの光は含まれず、蛍光イエローに蛍光ピンクのピーク波長である６０６ｎｍの光は含まれない。したがって、第一励起光源１７４Ｂ２を点灯させたまま、分光フィルター１７２Ａを透過させる光の波長を、５１９ｎｍと６０６ｎｍとに切り替えることで、蛍光イエロー及び蛍光ピンクの蛍光特性をそれぞれ測定することができる。
【００７７】
上記実施形態では、ステップＳ２及びステップＳ３の第一励起光による測定、ステップＳ４及びステップＳ５の第二励起光による測定、ステップＳ６及びステップＳ７の第三励起光による測定の順に蛍光測定を実施する例を示したが、これらの順番は特に限定されない。例えば、第三励起光による測定を実施した後に、第二励起光による測定を実施し、その後、第一励起光による測定を実施してもよい。
【００７８】
上記実施形態では、各蛍光色の蛍光特性の測定において、フィルター制御部１７６Ａは、分光フィルター１７２Ａを透過させる光を所定波長間隔で変化（例えば下降）させ、各波長のそれぞれの受光信号を受信して蛍光スペクトルデータを取得する例を示した。
これに対して、例えば、分光フィルター１７２Ａを透過させる光の波長を、各蛍光のピーク波長に対応した波長とし、各色の蛍光のピーク波長の光強度に基づいて、各色蛍光に対する蛍光特性を測定してもよい。
【００７９】
例えば、蛍光イエローの蛍光特性を測定する場合や、蛍光イエローの有無を測定する場合には、第一励起光源１７４Ｂ２を点灯させ、白色光源１７４Ｂ１、第二励起光源１７４Ｂ３、及び第三励起光源１７４Ｂ４を消灯させる。そして、分光フィルター１７２Ａを透過させる光の波長を、蛍光イエローのピーク波長である波長５１９ｎｍとする。ここで、蛍光イエローのみの蛍光特性を測定するために、波長３８０ｎｍ以上４２０ｎｍ未満の第三励起光を用いると蛍光増白剤も励起されて蛍光を発し、図７に示すように、その蛍光は、４００ｎｍから５４０ｎｍの光を含む。よって、蛍光イエローのみの蛍光特性を測定したい場合に、測定精度が低下する。これに対して、第一励起光では、蛍光増白剤の励起が抑制されることで、蛍光イエローの蛍光特性を好適に測定できる。
【００８０】
また、蛍光ピンクの蛍光特性を測定する場合や、蛍光ピンクの有無を測定する場合には、第二励起光源１７４Ｂ３を点灯させ、白色光源１７４Ｂ１、第一励起光源１７４Ｂ２、及び第三励起光源１７４Ｂ４を消灯させる。そして、分光フィルター１７２Ａを透過させる光の波長を、蛍光ピンクのピーク波長である波長６０６ｎｍとする。
ここで、蛍光ピンクのみの蛍光特性を測定するために、波長３８０ｎｍ以上４２０ｎｍ未満の第三励起光を用いると黄色蛍光物質も励起されて蛍光イエローを発し、図５に示すように、その蛍光は、４８０ｎｍから６２０ｎｍの光を含む。よって、蛍光ピンクのみの蛍光特性を測定したい場合に、測定精度が低下する。また、第一励起光を用いる場合、蛍光イエローに含まれる光は、４８０ｎｍから６００ｎｍの波長範囲の光となって、測定対象の（分光フィルター１７２Ａを透過させる）６０６ｎｍの光が含まれない。しかしながら、図６に示すように、当該第一励起光により励起される蛍光ピンクでは十分な光量が得られず測定精度が低下する。これに対して、第二励起光を用いる場合では、黄色蛍光物質や蛍光増白剤の励起が抑制され、かつ、蛍光ピンクも十分な発光強度で発光するので、蛍光ピンクの蛍光特性を好適に測定できる。
【００８１】
シャッター１７５として、環状部材１７５Ａの環内周縁１７５Ａ１から遮光部１７５Ｂが突出し、環状部材１７５Ａを回転駆動させることで、遮光部１７５Ｂが白色光源の白色光の光路に対して進退する構成を例示したが、これに限定されない。シャッターとしては、例えば遮光部が、直線方向に沿って進退可能な構成としてもよい。例えば、１２０°間隔で配置された白色光源１７４Ｂ１のそれぞれに対して、仮想円Ｃの動径方向に進退可能な遮光部を設ける構成としてもよい。
【００８２】
上記実施形態では、遮光部１７５Ｂが、白色光源１７４Ｂ１の光軸に対して進退して、蛍光測定処理時に白色光がメディアＭに照射される不都合を抑制する構成を例示した。これに対して、各光源１７４Ｂのそれぞれに対して、遮光部が設けられていてもよい。例えば、遮光部１７５Ｂが、仮想円Ｃの周方向に沿った円弧状に形成され、３個の光源１７４Ｂを遮光可能とし、これらの遮光部１７５Ｂが１２０°間隔で配置される構成としてもよい。この場合、周方向に隣り合う遮光部１７５Ｂの間に配置された光源１７４Ｂの光が測定対象であるメディアＭに照射され、その他の光源１７４Ｂからの光は遮光部１７５Ｂにより遮光される。
【００８３】
上記実施形態において、白色光源１７４Ｂ１、第一励起光源１７４Ｂ２、第二励起光源１７４Ｂ３、及び第三励起光源１７４Ｂ４がそれぞれ３個ずつ設けられ、各種光源がそれぞれ１２０°間隔で配置される構成を例示したが、これに限定されない。
例えば、同一種の３個の光源１７４Ｂが周方向に隣り合って３０°間隔で配置される構成などとしてもよい。この場合でも、複数方向からメディアＭに光が照射されることで、メディアＭに凹凸があった場合でも影の影響を抑制できる。
【００８４】
また、各光源１７４Ｂが仮想円Ｃの周方向に沿って配列される構成を例示したが、これに限定されない。例えば、白色光源１７４Ｂ１が測定光軸Ｌを中心とした第一仮想円の周方向に沿って配置され、各励起光源１７４Ｂ２，１７４Ｂ３，１７４Ｂ４が第一仮想円とは異なる径寸法の第二仮想円の周方向に配置されていてもよい。
また、第一仮想円に沿って、白色光源１７４Ｂ１、第一励起光源１７４Ｂ２、第二励起光源１７４Ｂ３、及び第三励起光源１７４Ｂ４がそれぞれ１つずつ配置され、第一仮想円よりも径が大きい第二仮想円に沿って、白色光源１７４Ｂ１、第一励起光源１７４Ｂ２、第二励起光源１７４Ｂ３、及び第三励起光源１７４Ｂ４がそれぞれ２つずつ配置される構成等としてもよい。
【００８５】
上記実施形態では、白色光源１７４Ｂ１を設けることで、測定対象であるメディアＭの色測定を実施可能としたが、例えば蛍光色の蛍光特性のみを測定する場合等では、白色光源１７４Ｂ１が配置されていなくてもよい。また、この場合では、シャッター１７５（遮光部１７５Ｂ）も不要にできる。
【００８６】
その他、本発明の実施の際の具体的な構造は、本発明の目的を達成できる範囲で他の構造等に適宜変更できる。
【符号の説明】
【００８７】
１０…プリンター、１５…制御ユニット、１６…印刷部、１７…分光器、１７１…基台、１７１Ａ２…入射窓、１７１ｃ…第三基部、１７２…フィルター保持基板、１７２Ａ…分光フィルター、１７３…受光素子保持基板、１７３Ａ…受光素子、１７４…光源部、１７４Ａ…光源保持基板、１７４Ｂ…光源、１７４Ｂ１…白色光源、１７４Ｂ２…第一励起光源、１７４Ｂ３…第二励起光源、１７４Ｂ４…第三励起光源、１７５…シャッター、１７５Ａ…環状部材、１７５Ｂ…遮光部、１７６…駆動制御部、１７６Ａ…フィルター制御部、１７６Ｂ…受光制御部、１７６Ｃ…光源制御部、１７６Ｄ…シャッター制御部、Ｃ…仮想円、Ｍ…メディア（測定対象）、Ｐ…測定位置。
【図１】
2019078715.tif 000003
【図２】
2019078715.tif 000004
【図３】
2019078715.tif 000005
【図４】
2019078715.tif 000006
【図５】
2019078715.tif 000007
【図６】
2019078715.tif 000008
【図７】
2019078715.tif 000009
【図８】
2019078715.tif 000010
【図９】
2019078715.tif 000011
【図１０】
2019078715.tif 000012